(57)【要約】【課題】ＤＶＤレコーダ内蔵ＴＶ受像機等の電気機器において、手動による標準時刻の入力や、通信回線を介した標準時刻の入力を行うことなく、正午に機器が使用中である場合や、１日の間に３分以上のシステムタイムの誤差が生じた場合でも、システムタイムの誤差を修正する。【解決手段】各処理を完了しなければならない期限の時間Ｌ１〜Ｌ３から各処理に要する時間Ｃ１〜Ｃ３を差し引いた値である、各処理の適正基準時間値を算出し、各処理の適正基準時間値の合計値よりも割込み処理に要する時間の合計値が大きくなったときに（Ｓ５でＮＯ）、これらの合計値の差が、モニタに表示されるシステムタイムの画像に影響を与えるレベルの時間であるか否かを判定する（Ｓ８及びＳ９）。この判定の結果、影響を与えるレベルの時間である場合に（Ｓ９でＹＥＳ）、ＲＡＭに記憶された現在のシステムタイムＴを修正する（Ｓ１０）。【選択図】図５
2007043548.tif 000002
【特許請求の範囲】
【請求項１】
アンテナを介して受信したテレビジョン放送信号の中から、ユーザにより選択入力されたチャンネルの放送信号の選局・復調を行って、映像・音声信号を出力するチューナと、
前記チューナから出力された映像・音声信号のＤＶＤ（Digital Versatile Disc）への録画と、ＤＶＤに録画された映像・音声信号の再生とを行うＤＶＤレコーダ部と、
装置本体に対して予約録画の開始・終了時刻の入力指示等の各種指示操作を行うための操作手段と、
水晶発振子に接続されてクロック信号を生成するクロックジェネレータと、
前記クロックジェネレータにより生成されたクロック信号をカウントすることにより現在のシステムタイムを算出する時間算出手段と、
前記時間算出手段により算出された現在のシステムタイムが、前記操作手段を用いてユーザにより入力された予約録画の開始時刻になったときに、前記ＤＶＤレコーダ部に対して、前記チューナから出力された映像・音声信号のＤＶＤへの録画を開始するように指示し、前記時間算出手段により算出された現在のシステムタイムが、前記操作手段を用いてユーザにより入力された予約録画の終了時刻になったときに、前記ＤＶＤレコーダ部に対して、前記録画を終了するように指示するタイマ手段と、
前記時間算出手段により算出されたシステムタイムの画像や、前記チューナや前記ＤＶＤレコーダ部から出力された映像信号に基く画像を表示するためのモニタと、
前記チューナや前記ＤＶＤレコーダ部から出力された音声信号を出力するスピーカと、
前記時間算出手段により算出された現在のシステムタイムの修正処理を行う時間修正手段とを備えた、ＤＶＤレコーダ内蔵のテレビジョン受像機において、
前記時間算出手段により算出された現在のシステムタイムを記憶する記憶手段と、
前記記憶手段に記憶された現在のシステムタイムを前記モニタに出力する時間出力手段と、
前記テレビジョン受像機内部の各回路間の通信処理や、画面表示処理等の、該テレビジョン受像機が行う各処理を完了しなければならない期限の時間（以下、リミット時間という）を算出するリミット時間算出手段と、
前記各処理に要する時間（処理時間）を算出する処理時間算出手段と、
前記各処理について前記リミット時間から前記処理時間を差し引いた値である、各処理の適正基準時間値を算出する適正基準時間値算出手段と、
前記各処理の適正基準時間値の合計値よりも割込み処理に要する時間（割込処理時間）の合計値が大きくなったときに、これらの合計値の差が、前記モニタに表示されるシステムタイムの画像に影響を与えるレベルの時間であるか否かを判定する判定手段とをさらに備え、
前記判定手段による判定の結果、影響を与えるレベルの時間である場合に、前記時間修正手段は、前記記憶手段に記憶された現在のシステムタイムを修正することを特徴とするＤＶＤレコーダ内蔵テレビジョン受像機。
【請求項２】
水晶発振子に接続されてクロック信号を生成するクロックジェネレータと、
前記クロックジェネレータにより生成されたクロック信号をカウントすることにより現在のシステムタイムを算出する時間算出手段と、
前記時間算出手段により算出された現在のシステムタイムの修正処理を行う時間修正手段とを備えた、電気機器において、
前記時間算出手段により算出された現在のシステムタイムを記憶する記憶手段と、
前記電気機器内部の各回路間の通信処理等の、該電気機器が行う各処理を完了しなければならない期限の時間（以下、リミット時間という）を算出するリミット時間算出手段と、
前記各処理に要する時間（処理時間）を算出する処理時間算出手段と、
前記各処理について前記リミット時間から前記処理時間を差し引いた値である、各処理の適正基準時間値を算出する適正基準時間値算出手段と、
前記各処理の適正基準時間値の合計値よりも割込み処理に要する時間（割込処理時間）の合計値が大きくなったときに、前記時間修正手段は、前記記憶手段に記憶された現在のシステムタイムを修正することを特徴とする電気機器。
【請求項３】
前記時間算出手段により算出されたシステムタイムを表示するための表示手段と、
前記各処理の適正基準時間値の合計値よりも割込処理時間の合計値が大きくなったときに、これらの合計値の差が、前記表示手段に表示されるシステムタイムに影響を与えるレベルの時間であるか否かを判定する判定手段とをさらに備え、
前記判定手段による判定の結果、影響を与えるレベルの時間である場合に限り、前記時間修正手段は、前記記憶手段に記憶された現在のシステムタイムを修正することを特徴とする請求項２に記載の電気機器。
【発明の詳細な説明】
【技術分野】
【０００１】
本発明は、ＤＶＤ（Digital Versatile Disc）レコーダを内蔵したテレビジョン受像機、及び電気機器に係り、特にこれらの機器におけるシステムタイムを修正する技術に関する。
【背景技術】
【０００２】
従来のＤＶＤレコーダ内蔵テレビジョン受像機等のチューナを有する電気機器において、ＮＨＫ教育テレビの正午の時報を受信して、機器のシステムタイムの３分以内の誤差を自動的に修正するジャストクロック機能を有するものがある。しかし、ジャストクロック機能は、正午に、機器が使用中である場合には、作動しない。また、ジャストクロック機能は、正午にしか作動しないので、ジャストクロック機能ではシステムタイムの誤差を直ぐに修正することができない。さらにまた、ジャストクロック機能は、システムタイムの誤差が３分以内である場合にのみ作動するので、１日の間に３分以上のシステムタイムの誤差が生じた場合には、この誤差を修正することができない。このシステムタイムの誤差は、該当の電気機器が録画機器である場合には、予約録画を行う際における番組の開始部分や終了部分の録画漏れにつながる。
【０００３】
また、計算機システムの分野において、キーボードや通信回線を介して入力された標準時刻に基いてシステムタイムを修正するようにしたものが知られている（例えば、特許文献１参照）。さらにまた、ファクシミリ装置等に用いる時計回路において、外部回線による時報サービスに基く時刻修正や、手動による時刻修正をなるべく少なくするために、時計の進み具合又は遅れ具合を予め予測しておいて、この予測値に基いて第３回目以降の時刻修正を行うようにしたものが知られている（例えば、特許文献２参照）。けれども、これらの発明では、手動による標準時刻の入力か、通信回線を介した標準時刻の入力が必要になるという問題があった。
【特許文献１】特開平９−１７９６５１号公報
【特許文献２】特開平１１−１６０４６８号公報
【発明の開示】
【発明が解決しようとする課題】
【０００４】
本発明は、上記の問題を解決するためになされたものであり、手動による標準時刻の入力や、通信回線を介した標準時刻の入力を行うことなく、正午に機器が使用中である場合でも、システムタイムの誤差を修正することができ、しかも、１日の間に３分以上のシステムタイムの誤差が生じた場合でも、システムタイムの誤差を修正することが可能な、ＤＶＤレコーダ内蔵テレビジョン受像機等の電気機器を提供することを目的とする。
【課題を解決するための手段】
【０００５】
上記目的を達成するために請求項１の発明は、アンテナを介して受信したテレビジョン放送信号の中から、ユーザにより選択入力されたチャンネルの放送信号の選局・復調を行って、映像・音声信号を出力するチューナと、前記チューナから出力された映像・音声信号のＤＶＤ（Digital Versatile Disc）への録画と、ＤＶＤに録画された映像・音声信号の再生とを行うＤＶＤレコーダ部と、装置本体に対して予約録画の開始・終了時刻の入力指示等の各種指示操作を行うための操作手段と、水晶発振子に接続されてクロック信号を生成するクロックジェネレータと、前記クロックジェネレータにより生成されたクロック信号をカウントすることにより現在のシステムタイムを算出する時間算出手段と、前記時間算出手段により算出された現在のシステムタイムが、前記操作手段を用いてユーザにより入力された予約録画の開始時刻になったときに、前記ＤＶＤレコーダ部に対して、前記チューナから出力された映像・音声信号のＤＶＤへの録画を開始するように指示し、前記時間算出手段により算出された現在のシステムタイムが、前記操作手段を用いてユーザにより入力された予約録画の終了時刻になったときに、前記ＤＶＤレコーダ部に対して、前記録画を終了するように指示するタイマ手段と、前記時間算出手段により算出されたシステムタイムの画像や、前記チューナや前記ＤＶＤレコーダ部から出力された映像信号に基く画像を表示するためのモニタと、前記チューナや前記ＤＶＤレコーダ部から出力された音声信号を出力するスピーカと、前記時間算出手段により算出された現在のシステムタイムの修正処理を行う時間修正手段とを備えた、ＤＶＤレコーダ内蔵のテレビジョン受像機において、前記時間算出手段により算出された現在のシステムタイムを記憶する記憶手段と、前記記憶手段に記憶された現在のシステムタイムを前記モニタに出力する時間出力手段と、前記テレビジョン受像機内部の各回路間の通信処理や、画面表示処理等の、該テレビジョン受像機が行う各処理を完了しなければならない期限の時間（以下、リミット時間という）を算出するリミット時間算出手段と、前記各処理に要する時間（処理時間）を算出する処理時間算出手段と、前記各処理について前記リミット時間から前記処理時間を差し引いた値である、各処理の適正基準時間値を算出する適正基準時間値算出手段と、前記各処理の適正基準時間値の合計値よりも割込み処理に要する時間（割込処理時間）の合計値が大きくなったときに、これらの合計値の差が、前記モニタに表示されるシステムタイムの画像に影響を与えるレベルの時間であるか否かを判定する判定手段とをさらに備え、前記判定手段による判定の結果、影響を与えるレベルの時間である場合に、前記時間修正手段は、前記記憶手段に記憶された現在のシステムタイムを修正するものである。
【０００６】
請求項２の発明は、水晶発振子に接続されてクロック信号を生成するクロックジェネレータと、前記クロックジェネレータにより生成されたクロック信号をカウントすることにより現在のシステムタイムを算出する時間算出手段と、前記時間算出手段により算出された現在のシステムタイムの修正処理を行う時間修正手段とを備えた、電気機器において、前記時間算出手段により算出された現在のシステムタイムを記憶する記憶手段と、前記電気機器内部の各回路間の通信処理等の、該電気機器が行う各処理を完了しなければならない期限の時間（以下、リミット時間という）を算出するリミット時間算出手段と、前記各処理に要する時間（処理時間）を算出する処理時間算出手段と、前記各処理について前記リミット時間から前記処理時間を差し引いた値である、各処理の適正基準時間値を算出する適正基準時間値算出手段と、前記各処理の適正基準時間値の合計値よりも割込み処理に要する時間（割込処理時間）の合計値が大きくなったときに、前記時間修正手段は、前記記憶手段に記憶された現在のシステムタイムを修正するものである。
【０００７】
請求項３の発明は、請求項２に記載の電気機器において、前記時間算出手段により算出されたシステムタイムを表示するための表示手段と、前記各処理の適正基準時間値の合計値よりも割込処理時間の合計値が大きくなったときに、これらの合計値の差が、前記表示手段に表示されるシステムタイムに影響を与えるレベルの時間であるか否かを判定する判定手段とをさらに備え、前記判定手段による判定の結果、影響を与えるレベルの時間である場合に限り、前記時間修正手段は、前記記憶手段に記憶された現在のシステムタイムを修正するものである。
【発明の効果】
【０００８】
請求項１の発明によれば、手動による標準時刻の入力や、通信回線を介した標準時刻の入力を行うことなく、正午に機器が使用中である場合でも、システムタイムの誤差を修正することができ、しかも、１日の間に３分以上のシステムタイムの誤差が生じた場合でも、システムタイムの誤差を修正することができる。これにより、モニタに正確なシステムタイムの画像を表示することができ、しかも、予約録画を行う際に番組の開始部分や終了部分の録画漏れを防ぐことができる。
【０００９】
請求項２の発明によれば、手動による標準時刻の入力や、通信回線を介した標準時刻の入力を行うことなく、正午に機器が使用中である場合でも、システムタイムの誤差を修正することができ、しかも、１日の間に３分以上のシステムタイムの誤差が生じた場合でも、システムタイムの誤差を修正することができる。
【００１０】
請求項３の発明によれば、上記請求項２の効果に加えて、表示手段に正確なシステムタイムの画像を表示することができる。
【発明を実施するための最良の形態】
【００１１】
本発明を実施するための最良の形態について図面を参照して説明する。本発明は、電気機器におけるシステムタイムを修正する技術に関するものである。以下の実施形態では、本発明をＤＶＤレコーダ内蔵テレビジョン受像機に適用した場合の例について説明する。なお、以下に記載した実施形態は、本発明を網羅するものではなく、本発明は、下記の形態だけに限定されない。
【００１２】
図１は、第１の実施形態によるＤＶＤレコーダ内蔵テレビジョン受像機１（以下、ＤＶＤレコーダ内蔵ＴＶ受像機という）の外観を示す。図に示されるように、ＤＶＤレコーダ内蔵ＴＶ受像機１は、装置本体の右側部に、スロットインタイプのディスク挿入口３を有しており、このディスク挿入口３からＤＶＤ１０がＤＶＤレコーダ部２（図２参照）内に挿入されたときに、ＤＶＤモードに移行して、ＤＶＤレコーダ部２の電源をオンにする。
【００１３】
図２は、上記ＤＶＤレコーダ内蔵ＴＶ受像機１の電気的ブロック構成を示す。ＤＶＤレコーダ内蔵ＴＶ受像機１は、アンテナ２０を介して受信したテレビジョン放送信号の中から、ユーザにより選択入力されたチャンネルの放送信号の選局・復調を行って、映像・音声信号を出力するチューナ６と、チューナ６で取り出された映像と音声の中間周波信号を増幅する映像中間周波増幅回路７と、チューナ６から出力された映像・音声信号のＤＶＤ１０への録画と、ＤＶＤ１０に録画された映像・音声信号の再生とを行うＤＶＤレコーダ部２とを有している。また、ＤＶＤレコーダ内蔵ＴＶ受像機１は、装置全体の制御を行うマイコン４と信号制御回路５とを有している。信号制御回路５は、インプットセレクタの機能を持ち、上記の映像中間周波増幅回路７、ＤＶＤレコーダ部２、及び外部入力端子８から入力された映像・音声信号のうち、リモコン３（操作手段）を用いてユーザにより選択された特定の種類の映像・音声信号に基づく映像と音声とが、モニタ１５とスピーカ１７とに出力されるように、信号の経路を切り替える。また、ＤＶＤ１０への録画時には、信号制御回路５は、チューナ６から映像中間周波増幅回路７を介して出力された映像・音声信号が、ＤＶＤレコーダ部２に出力されるように、信号の経路を切り替える。
【００１４】
さらにまた、ＤＶＤレコーダ内蔵ＴＶ受像機１は、信号制御回路５から送られた映像信号に基づいて原色信号を再生する色再生回路１１と、この色再生回路１１により再生された原色信号に文字情報等の映像信号を重畳させるオンスクリーンディスプレイ部１４（以下、ＯＳＤ部という）と、信号制御回路５から送られた音声信号を増幅して、スピーカ１７に出力する音声回路１２と、タイマ回路１３（タイマ手段）とを有している。タイマ回路１３は、現在のシステムタイムが、リモコン３を用いてユーザにより入力された予約録画の開始時刻になったときに、ＤＶＤレコーダ部２に対して、チューナ６から出力された映像・音声信号のＤＶＤ１０への録画を開始するように指示し、現在のシステムタイムが、リモコン３を用いてユーザにより入力された予約録画の終了時刻になったときに、ＤＶＤレコーダ部２に対して、録画を終了するように指示する。また、ＯＳＤ部１４により重畳させられる映像信号には、システムタイムの画像の映像信号が含まれる。
【００１５】
ＤＶＤレコーダ内蔵ＴＶ受像機１は、上記の各回路に加えて、ＯＳＤ部１４から送られた映像信号を出力するモニタ１５（表示手段）と、音声回路１２から送られた音声信号を出力するスピーカ１７と、リモコン３から送信された赤外線信号を受信するリモコン信号受信部１８と、装置の各部に電源を供給するための電源部１９とを有している。
【００１６】
上記のリモコン３は、各種のキーからなるキー部３４と赤外線信号発信部３１とを有している。キー部３４には、電源キー３３、数字入力用のキー３５、カーソル移動キー３６及び確定キー３７に加えて、各種メニューを表示するためのメニューキー３２が配設されている。ユーザは、キー部３４上の各キーを用いることにより、装置本体に対して予約録画の開始・終了時刻の入力指示等の各種指示操作を行うことができる。
【００１７】
図３は、上記ＤＶＤレコーダ部２の電気的ブロック構成を示す。ＤＶＤレコーダ部２は、主に、ディスクローダ２１と、ＤＶＤ１０からの読取信号を処理するためのディジタル基板２２と、ディスク挿入口３（図１参照）からＤＶＤ１０が挿入されたことを検知するためのディスク検出センサ２３とから構成されている。ディスク検出センサ２３による検出信号は、装置全体を制御するマイコン４へ出力される。
【００１８】
上記のディスクローダ２１は、ＤＶＤ１０を回転駆動するためのスピンドルモータ２５と、ＤＶＤ１０に対して光ビームを照射してデータの記録及び再生を行う光ピックアップ２６と、光ピックアップ２６を読出位置に対応させて移動させるためのフィードモータ２４とから構成されている。また、ディジタル基板２２は、主に、光ピックアップ２６から送られた信号をビットストリームに変換するためのフロントエンドプロセッサとＭＰＥＧ復調回路とシステム制御用マイクロプロセッサとを集積したシステムＬＳＩ２７と、フィードモータ２４、スピンドルモータ２５、及び光ピックアップ２６に対して駆動信号を出力するモータドライバ２８とから構成されている。
【００１９】
図４は、上記図２中のマイコン４の概略構成を示す。マイコン４は、主に、水晶発振子４１と、水晶発振子４１に接続されてクロック信号を生成するクロックジェネレータ４２と、マイコン４の各種処理の制御や各種演算を行うＣＰＵ４０（時間算出手段、リミット時間算出手段、処理時間算出手段）と、各種のデータを記憶するためのＲＡＭ４６及び各種制御用プログラムを記憶するためのＲＯＭ４７からなるメモリ４３（記憶手段）と、Ｉ／Ｏバス４５を介して外部入出力機器とのデータの入出力を行う際のインタフェース用の回路であるＩ／Ｏ４４とから構成されている。ＣＰＵ４０が行う処理には、クロックジェネレータ４２により生成されたクロック信号をカウントすることにより現在のシステムタイムを算出する処理や、現在のシステムタイムの修正処理が含まれる。ＲＡＭ４６には、各種の作業用データ４８や、ＣＰＵ４０により算出された現在のシステムタイム（図中のシステムタイムＴ４９）が記憶される。ＲＯＭ４７には、ＲＡＭ４６に記憶されたシステムタイムＴ４９を更新するためのプログラムである時間更新ＰＧ５１、ＲＡＭ４６に記憶されたシステムタイムＴ４９の管理と修正を行うためのプログラムである時間管理メインＰＧ５０、及び各種の制御用の処理プログラムである各種処理ＰＧ５２が記憶されている。また、上記図２中のＯＳＤ部１４と上記のＣＰＵ４０と時間管理メインＰＧ５０とが、請求項における時間出力手段に相当する。また、上記の時間管理メインＰＧ５０とＣＰＵ４０とが、請求項における判定手段、時間修正手段、及び適正基準時間値算出手段に相当する。
【００２０】
次に、図５及び図６のフローチャートを参照して、上記ＤＶＤレコーダ内蔵ＴＶ受像機１における時間修正処理について説明する。なお、以下の説明において、処理１は、何回も呼び出されなければならない通信等の処理のルーチンであり、処理２は、処理１よりも時間のかかる視覚的な処理のルーチンである。また、表示処理（Ｓ１１に相当する修理）に要する時間は、処理１や処理２に要する時間よりも長いものとする。
【００２１】
マイコン４のＣＰＵ４０は、クロックジェネレータ４２により生成されたクロック信号に基いて、現在のシステムタイムを算出する。そして、１ｍｓ経過する毎に、図６の時間更新処理を行って、メモリ４３に記憶されているシステムタイムＴ４９を更新する（直前のシステムタイムＴ４９に１ｍｓを加算する）。次に、マイコン４のＣＰＵ４０は、図５に示される処理に移り、その時点のシステムタイムＴ４９をチェックする。その結果、その時点のシステムタイムＴ４９が４０ｍｓの倍数になっているときには（Ｓ２でＹＥＳ）、Ｓ５の処理に進んで、画面表示の処理（Ｓ１１に相当する修理）を実行する。これに対して、その時点のシステムタイムＴ４９が４０ｍｓの倍数になっておらず、２０ｍｓの倍数になっているときには（Ｓ２でＮＯ、Ｓ３でＹＥＳ）、処理２を実行した後に（Ｓ６）、Ｓ１の処理に戻る。また、その時点のシステムタイムＴ４９が４０ｍｓの倍数にも、２０ｍｓの倍数にもなっていないが、１０ｍｓの倍数になっているときには（Ｓ２でＮＯ、Ｓ３でＮＯ、Ｓ４でＹＥＳ）、処理１を実行した後に（Ｓ７）、Ｓ１の処理に戻る。
【００２２】
マイコン４のＣＰＵ４０は、例えば、システムタイムＴ４９が０時０分０，０１０秒（１０ｍｓ）になると、処理１を実行し、システムタイムＴ４９が０時０分０，０２０秒（２０ｍｓ）になると、処理２を実行し、システムタイムＴ４９が０時０分０，０３０秒（３０ｍｓ）になると、処理１を実行し、システムタイムＴ４９が０時０分０，０４０秒（４０ｍｓ）になると、Ｓ５の処理に進んで、画面表示の処理を実行する。
【００２３】
次に、図５中のＳ５以降の処理について説明する。まず、Ｓ５の計算式に使用される各作業用データについて説明する。Ｍ１、Ｍ２、及びＭ３は、それぞれ上記Ｓ７に示される処理１を行った回数を保持するための作業用データ項目、上記Ｓ６に示される処理２を行った回数を保持するための作業用データ項目、及び下記のシステムタイムを含む画面の表示処理（Ｓ１１に相当する修理）を行った回数を保持するための作業用データ項目である。また、ＩＭ１、ＩＭ２、及びＩＭ３は、割込み処理の種類が３種類であった場合に、それぞれの種類の割込み処理を行った回数を保持するための作業用データ項目である。また、Ｌ１、Ｌ２、及びＬ３は、それぞれ上記Ｓ７に示される処理１、上記Ｓ６に示される処理２、及び下記のＳ１１に示される表示処理を完了しなければならない期限の時間（以下、リミット時間という）である。このリミット時間は、該当の処理の開始時間から次の処理を始めるべき時間までの間の時間をいう。
【００２４】
マイコン４のＣＰＵ４０は、上記の処理１、処理２及び表示処理自体に要する時間（処理時間）Ｃ１、Ｃ２及びＣ３と、上記の３種類の割込み処理に要する時間（割込処理時間）Ｉ１、Ｉ２及びＩ３とを予め求めておく。そして、上記の表示処理を実行する直前に、上記の処理１、処理２及び表示処理のリミット時間Ｌ１、Ｌ２、及びＬ３から、上記の処理１、処理２及び表示処理の処理時間Ｃ１、Ｃ２及びＣ３を差し引いた値である、処理１、処理２及び表示処理の適正基準時間値（Ｌ１−Ｃ１）、（Ｌ２−Ｃ２）、及び（Ｌ３−Ｃ３）を算出する。次に、マイコン４のＣＰＵ４０は、上記の各処理の適正基準時間値（Ｌ１−Ｃ１）、（Ｌ２−Ｃ２）、及び（Ｌ３−Ｃ３）に、各処理を行った回数Ｍ１、Ｍ２、及びＭ３をそれぞれかけて、これらの積の値の合計値（請求項における適正基準時間値の合計値）、すなわち（（Ｌ１−Ｃ１）Ｍ１＋（Ｌ２−Ｃ２）Ｍ２＋（Ｌ３−Ｃ３）Ｍ３）と、割込み処理に要した時間の合計値、すなわち（Ｉ１＊ＩＭ１＋Ｉ２＊ＩＭ２＋Ｉ３＊ＩＭ３）とを比較する。
【００２５】
マイコン４のＣＰＵ４０は、上記の比較の結果、割込み処理に要した時間の合計値が、適正基準時間値の合計値よりも大きくなった場合には（Ｓ５でＮＯ）、システムタイムＴ４９に誤差が生じていると判断して、上記の２つの合計値の差（今回の誤差）、（Ｉ１＊ＩＭ１＋Ｉ２＊ＩＭ２＋Ｉ３＊ＩＭ３）−（（Ｌ１−Ｃ１）Ｍ１＋（Ｌ２−Ｃ２）Ｍ２＋（Ｌ３−Ｃ３）Ｍ３）に、今までの誤差のうちの未反映の誤差ＡＭを加えた誤差ワークＷＡＭの値が、モニタ１５に表示されるシステムタイム（の画像）に影響を与えるレベルの値であるか否かを判定する（Ｓ８及びＳ９）。具体的には、例えば、システムタイムの表示単位が分単位であり、システムタイムの表示が１分毎に更新される場合には、誤差ワークＷＡＭの値が、１分以上になると、システムタイムの画像に影響を与えるレベルの値であると判定する。この判定の結果、システムタイムの画像に影響を与えるレベルの値である場合には（Ｓ９でＹＥＳ）、ＲＡＭ４６に記憶されたシステムタイムＴ４９に、所定の値の追加時間ＡＴを加算して修正し（ＲＡＭ４６内のシステムタイムＴ４９を、直前のシステムタイムＴ４９に追加時間ＡＴを加算した時間に書き換え）、修正後のシステムタイムＴ４９をモニタ１５上に表示すると共に、誤差ワークＷＡＭの値から追加時間ＡＴを引いて、上記の未反映の誤差ＡＭを求める（Ｓ１０及びＳ１１）。上記の追加時間ＡＴの大きさは、システムタイムの表示単位との関係で、ユーザに奇異な印象を与えない程度の大きさの値（例えば、システムタイムの表示単位が分単位である場合には、３０秒程度）に設定される。なお、上記のＳ１０の処理において、各処理を行った回数Ｍ１、Ｍ２、Ｍ３、及び割込み処理を行った回数ＩＭ１、ＩＭ２、ＩＭ３を０クリアする。
【００２６】
上記Ｓ５の比較の結果、割込み処理に要した時間の合計値が、適正基準時間値の合計値以下の場合には（Ｓ５でＹＥＳ）、ＲＡＭ４６に記憶されたシステムタイムＴ４９を修正せずに、そのままモニタ１５上に表示する（Ｓ１１）。
【００２７】
上記のように、本実施形態によるＤＶＤレコーダ内蔵ＴＶ受像機１によれば、手動による標準時刻の入力や、通信回線を介した標準時刻の入力を行うことなく、正午に機器が使用中である場合でも、システムタイムＴ４９の誤差を修正することができ、しかも、１日の間に３分以上のシステムタイムＴ４９の誤差が生じた場合でも、システムタイムＴ４９の誤差を修正することができる。これにより、モニタ１５に正確なシステムタイムＴ４９の画像を表示することができ、しかも、予約録画を行う際に、正確なシステムタイムＴ４９を参照することができるので、番組の開始部分や終了部分の録画漏れを防ぐことができる。
【００２８】
なお、本発明は、上記実施形態に限られるものではなく、様々な変形が可能である。例えば、上記の実施形態では、表示処理を実行する直前に、割込み処理に要した時間の合計値が、適正基準時間値の合計値よりも大きくなったか否かをチェックするようにしたが、このチェックのタイミングは、表示処理を実行する際に限られず、他の処理（上記の実施形態の場合で言えば、処理１又は処理２）を実行する際であってもよい。また、本発明の適用対象は、ＤＶＤレコーダ内蔵ＴＶ受像機に限られず、ビデオテープレコーダ内蔵テレビジョン受像機やビデオテープレコーダ等の他の種類の電気機器であってもよい。
【図面の簡単な説明】
【００２９】
【図１】本発明の一実施形態によるＤＶＤレコーダ内蔵テレビジョン受像機の外観を示す正面図。
【図２】上記ＤＶＤレコーダ内蔵テレビジョン受像機の電気的ブロック構成図。
【図３】図２中のＤＶＤレコーダ部の電気的ブロック構成図。
【図４】図２中のマイコンの電気的ブロック構成図。
【図５】上記ＤＶＤレコーダ内蔵テレビジョン受像機の時間管理処理のフローチャート。
【図６】上記ＤＶＤレコーダ内蔵テレビジョン受像機の時間更新処理のフローチャート。
【符号の説明】
【００３０】
１    ＤＶＤレコーダ内蔵ＴＶ受像機
２    ＤＶＤレコーダ部
３    リモコン（操作手段）
６    チューナ
１３  タイマ回路（タイマ手段）
１４  ＯＳＤ部（時間出力手段）
１５  モニタ（表示手段）
１７  スピーカ
４０  ＣＰＵ（時間算出手段、リミット時間算出手段、処理時間算出手段、時間出力手段、判定手段、時間修正手段、適正基準時間値算出手段）
４２  クロックジェネレータ
４３  メモリ（記憶手段）
５０  時間管理メインＰＧ（時間出力手段、判定手段、時間修正手段、適正基準時間値算出手段）
【図１】
2007043548.tif 000003
【図２】
2007043548.tif 000004
【図３】
2007043548.tif 000005
【図４】
2007043548.tif 000006
【図５】
2007043548.tif 000007
【図６】
2007043548.tif 000008